【事件の表示】
　特願２００２−　８４７４１「タグを用いて情報を格納する情報格納物とこれらに関する装置」拒絶査定不服審判事件〔平成１５年１０月　３日出願公開、特開２００３−２８１４９５〕について、次のとおり審決する。
【結　論】
　本件審判の請求は、成り立たない。
【理　由】
１．手続きの経緯
　本願は、平成１４年３月２６日の出願であって、平成１６年９月１６日に審査請求とともに手続補正され、平成１８年３月１５日付けで拒絶理由通知がなされ、同年５月１８日付けで手続補正されたが、同年１０月１３日付けで拒絶査定がなされ、これに対して、同年１１月３０日に審判請求されるとともに、同年１２月２８日付けで手続補正され、平成１９年１月２５日付けで審査官から前置報告がなされ、平成２０年１１月２６日付けで当審より審尋がなされ、平成２１年１月３０日付けで回答書が提出されたが、同年４月１日付けで当審より拒絶理由通知がなされ、同年６月４日付けで手続補正されたものである。
　
２．本願発明
　本願の請求項１に係る発明（以下、「本願発明」という。）は、平成２１年６月４日付けの手続補正により補正された特許請求の範囲の請求項１に記載された、次の通りのものである。
　
「ICタグに対して新たな情報を追加する情報追加装置であって、
　前記ICタグは、
　非接触ICチップと当該非接触ICチップを保持する保持担体とを有し、
　前記非接触ICチップは、前記非接触ICチップ毎に異なる識別情報である個別情報を格納する書換え不可能なメモリ部と、
　当該ICタグに照射された電波を受け、前記非接触ICチップの電源の供給及びクロック、データの送受信を行うアンテナ部分とを有し、
　前記保持担体は、前記メモリ部とは別な情報の格納物を有するよう構成され、
　前記アンテナ部分に向けて電波を照射し、かつ前記アンテナ部分から得られる信号を検出して前記個別情報を取り出す第1の読取り部と、
　任意の入力情報の入力を受け付ける入力部と、
　前記個別情報と前記入力情報を接続し、当該接続したデータのデータ長を規定の長さにし、当該規定の長さにして接続したデータを変換処理することにより変換済み情報を得る第1のデータ加工部と、
　前記変換済み情報を前記情報の格納物に追加するデータの追加部と、
　を有する事を特徴とする情報追加装置。」
　
　
３．引用発明
　当審による拒絶理由に引用された刊行物である特開２００１−２０２４８６号公報（以下、「引用文献１」という。）には、図面とともに以下の事項が記載されている。
　
（あ）「【００１４】
【発明の実施の形態】以下、本発明の実施の形態について説明する。
【００１５】まず、本発明の第１実施形態について、本発明に係る認証用用紙を、勝馬投票券の認証システムへ適用した場合を例にとり説明する。
【００１６】まず、本発明の第１実施形態で用いる電子回路チップについて説明する。
【００１７】本発明の第１実施形態に係る電子回路チップ10は、図１（ａ）に示すように、たとえば0.3ｍｍ角の電子回路チップであり、薄型のほぼ直方体の形状を有している。また、図１（ｂ）に示すように、シリコンチップ4上に、メモリとその読み出し回路として機能する電子回路1とコンデンサ2とアンテナ3が形成されて構成されている。ここで、メモリは、書き換え不可能なメモリ部分（たとえば、ROM）を含むものとする。
【００１８】さて、電子回路1とコンデンサ2とアンテナ3は、図１（ｃ）に示すような回路を形成している。この回路は、外部から与えられた電波により、アンテナ3にて電流を誘起し、電荷をコンデンサ2に蓄積する。そして、コンデンサ2に蓄積した電荷から得た電力を用いて、電子回路1に記憶されている情報をアンテナ1より電波を用いて送信するように動作する。すなわち、この電子回路チップ10に電波を与えることにより、外部より非接触で、電子回路チップ10の電子回路1に記憶された情報を読み出すことができる。」
　
（い）「【００１９】次に、本発明の第１実施形態で用いる勝ち馬投票券について説明する。
【００２０】本発明の第１実施形態に係る勝馬投票券100は、図２（ａ）の正面図、図２（ｂ）の断面図（図２（ａ）のA-B断面線による断面図）に示すように、紙票に、図１に示した電子回路チップ10が鋤き込まれた構成を有する。ただし、勝馬投票券100は、鋤き込む代わりに、電子回路チップ10を紙票に接着などの手法により貼付したものでもよい。ここで、勝馬投票券100の表面および裏面には、任意の情報を印刷することができる。」
　
（う）「【００２１】以下、本発明の第１実施形態に係る勝馬投票券100の認証システムについて説明する。
【００２２】図３に、本発明の第１実施形態に係る認証システムの全体構成を示す。
【００２３】図示するように、本実施形態の認証システムは、チップ製造設備110と、投票券製造設備120と、投票券発売設備130と、投票券情報管理センタ140と、投票券払戻設備150と、を含む。投票券発売設備130、投票券情報管理センタ140および投票券払戻設備150は、通信回線によって接続されており、相互に情報を送受できるように構成されている。なお、投票券発売設備130および投票券払戻設備150は、１つの装置あるいは設備として提供されるものでもよい。また、投票券情報管理センタ140も、投票券発売設備130および/または投票券払戻設備150とともに、１つの装置あるいは設備として提供されるものでもよい。
【００２４】さて、チップ製造設備110では、電子回路チップ10を製造するとともに、電子回路チップ10の電子回路1の書き換え不可能なメモリ部分に、電子回路チップ10毎に異なるID番号を記録する。
【００２５】投票券製造設備120では、チップ製造設備110より電子回路チップ10の供給を受け、これを鋤き込んだ勝馬投票券100用の用紙を製造し、各投票券発売設備130に配布する。
【００２６】投票券発売設備130では、勝馬投票券100用の用紙に、購入者が投票したレース番や馬番や購入金額などの購入情報を文字によって印刷し、これを勝馬投票券100として販売する。また、投票券発売設備130では、販売する勝馬投票券100の電子回路チップ10から電子回路1の書き換え不可能なメモリ部分に記録されたID番号を読み取り、このID番号とこの勝馬投票券100の購入情報との組を、投票券情報として、投票券情報管理センタ140に通知する。これを受けて、投票券情報管理センタ140は、各投票券発売設備130から通知された投票券情報を蓄積する。
【００２７】投票券払戻設備150では、勝馬投票券100の払い戻しを求める払い戻し者より、勝馬投票券100を受け取り、この勝馬投票券100の電子回路チップ10から電子回路1の書き換え不可能なメモリ部分に記録されたID番号を読み取り、読み取ったID番号に対応する購入情報を投票券情報管理センタ140に問い合わせる。また、勝馬投票券100に印刷された購入情報を、光学的な画像入力と文字認識（OCR)により読み取る。これを受けて、投票券情報管理センタ140は、投票券払戻設備150から問い合わせられたID番号を含む投票券情報を検索し、検出した投票券情報に含まれる購入情報を投票券払戻設備150に通知する。
【００２８】投票券払戻設備150は、投票券情報管理センタ140から通知された購入情報と、勝馬投票券100から光学的に読み取った購入情報との一致を検証し、一致していれば認証OKを使用者に提示する。そして、使用者は、認証OKが提示されたならば、払い戻しを行う。
【００２９】以上、本発明の第１実施形態に係る認証システムについて説明した。
【００３０】このように、本実施形態の認証システムでは、電子回路チップ10の書き換え不可能なメモリ部分に記憶したID番号を用いて、勝馬投票券の真正性を認証する。ここで、このID番号は書き換え不可でり、また、電子回路チップ10を不正者が製造することは、およそ困難であることより、このような認証システムによれば、より高い信頼性をもって勝馬投票券100の真正性を認証することができる。
【００３１】なお、このような電子回路チップ10は、必ず書き換え不可能なメモリ部分を含み、このメモリ部分の情報を特定のシーケンス、たとえば最初に送信するように、全ての製造者間で規格化することがよい。このようにすることにより、書き換え不可能なメモリ部分（たとえばEEPROM）の情報によって書き換え不可能なメモリ部分の情報を偽装することができなくなる。」
　
（え）「【００３２】なお、本実施形態は、次のように修正してもよい。
【００３３】すなわち、投票券発売設備130では、勝馬投票券100を販売する際に、販売する勝馬投票券100の電子回路チップ10から電子回路1の書き換え不可能なメモリ部分に記録されたID番号を読み取り、このID番号と勝馬投票券100の購入情報との組のハッシュ関数によるハッシュ値を、認証システムの秘密鍵で暗号化して、認証番号を作成する。そして、認証番号を購入情報とともに勝馬投票券100に印刷する。
【００３４】投票券払戻設備150では、勝馬投票券100の払い戻しを求める払い戻し者より、勝馬投票券100を受け取り、この勝馬投票券100の電子回路チップ10から電子回路1の書き換え不可能なメモリ部分に記録されたID番号を読み取る。また、勝馬投票券100に印刷された購入情報と認証番号を、光学的な画像入力と文字認識（OCR)により読み取る。そして、読み取ったID番号と購入情報との組のハッシュ関数によるハッシュ値と、読み取った認証番号を認証システムの公開鍵で復号化した値との一致を検証し、一致していれば認証OKを使用者に提示する。使用者は、認証OKが提示されたならば、払い戻しを行う。
【００３５】このよにすることにより、投票券情報管理センタ140を設けなくても、また、投票券払戻設備150や投票券売設備130を通信回線で接続しなくても、勝馬投票券100の真正性を認証することができるようになる。
【００３６】また、本実施形態において、電子回路1のメモリに、書き換え不可能なメモリ部分に加え、書き換え可能なメモリ部分（たとえば、EEPROM）を設けるようにしてもよい。なお、書き換え可能なメモリ部分にEEPROMを用いる場合、書き換え不可能なメモリ部分は、書き換え不可とすべき情報をEEPROMに書き込んだ後、この情報が書き込まれたエリアを書き換え不可に設定することで、設けるようにしてもよい。」
　
　
　上記（い）「【００２０】本発明の第１実施形態に係る勝馬投票券100は、図２（ａ）の正面図、図２（ｂ）の断面図（図２（ａ）のA-B断面線による断面図）に示すように、紙票に、図１に示した電子回路チップ10が鋤き込まれた構成を有する。ただし、勝馬投票券100は、鋤き込む代わりに、電子回路チップ10を紙票に接着などの手法により貼付したものでもよい。ここで、勝馬投票券100の表面および裏面には、任意の情報を印刷することができる。」記載、及び、
　上記（う）「【００２６】投票券発売設備130では、勝馬投票券100用の用紙に、購入者が投票したレース番や馬番や購入金額などの購入情報を文字によって印刷し、これを勝馬投票券100として販売する。」の記載によると、
　上記（う）の記載事項において、投票券発売設備130は、勝馬投票券100用の用紙に購入情報を印刷して勝馬投票券100を販売することが記載されている。
　また、投票券発売設備130は、購入者が投票したレース番や馬番や購入金額などの購入情報を印刷しており、この購入情報は購入者が投票する際に決めるものであるため、投票券発売設備130が、購入情報を印刷するには、購入情報が外部から入力されなければならないから、投票券発売設備130は、購入者が投票したレース番や馬番や購入金額などの購入情報を入力する入力手段を有していると解するのが妥当である。
　また、上記（い）の記載事項における電子回路チップ10が鋤き込まれた紙票と、上記（う）の記載事項における電子回路チップ10を鋤き込んだ勝馬投票券100用の用紙とは同じものを意味していることは明らかである。そして、上記（い）の記載事項によれば、勝馬投票券100の表面および裏面は、任意の情報を印刷することができるものであって、上記（う）の記載事項において、投票券発売設備130は、勝馬投票券100用の用紙に購入情報を文字によって印刷していることから、勝馬投票券100用の用紙は、その表面および裏面に任意の情報を印刷することができるように構成されたものであると言える。
　したがって、引用文献１には、勝馬投票券100用の用紙に購入情報を印刷して勝馬投票券100を販売する投票券発売設備130であって、投票券発売設備130は、購入者が投票したレース番や馬番や購入金額などの購入情報を入力する入力手段を有し、勝馬投票券100は、電子回路チップ10と、電子回路チップ10を鋤き込んだ勝馬投票券100用の用紙を有し、勝馬投票券100用の用紙は、その表面および裏面に任意の情報を印刷することができるように構成されていることが記載されている。
　
　上記（う）「【００２４】さて、チップ製造設備110では、電子回路チップ10を製造するとともに、電子回路チップ10の電子回路1の書き換え不可能なメモリ部分に、電子回路チップ10毎に異なるID番号を記録する。」の記載からすると、
　引用文献１には、電子回路チップ10は、電子回路チップ10毎に異なるID番号を記録する書き換え不可能なメモリ部分を有することが記載されている。
　
　上記（あ）「【００１７】本発明の第１実施形態に係る電子回路チップ10は、図１（ａ）に示すように、たとえば0.3ｍｍ角の電子回路チップであり、薄型のほぼ直方体の形状を有している。また、図１（ｂ）に示すように、シリコンチップ4上に、メモリとその読み出し回路として機能する電子回路1とコンデンサ2とアンテナ3が形成されて構成されている。ここで、メモリは、書き換え不可能なメモリ部分（たとえば、ROM）を含むものとする。
【００１８】さて、電子回路1とコンデンサ2とアンテナ3は、図１（ｃ）に示すような回路を形成している。この回路は、外部から与えられた電波により、アンテナ3にて電流を誘起し、電荷をコンデンサ2に蓄積する。そして、コンデンサ2に蓄積した電荷から得た電力を用いて、電子回路1に記憶されている情報をアンテナ1より電波を用いて送信するように動作する。すなわち、この電子回路チップ10に電波を与えることにより、外部より非接触で、電子回路チップ10の電子回路1に記憶された情報を読み出すことができる。」の記載、及び、
　上記（い）「【００２０】本発明の第１実施形態に係る勝馬投票券100は、図２（ａ）の正面図、図２（ｂ）の断面図（図２（ａ）のA-B断面線による断面図）に示すように、紙票に、図１に示した電子回路チップ10が鋤き込まれた構成を有する。」の記載によると、
　上記（あ）の記載事項において、アンテナは、外部からの電波により電流を誘起し、この電流から得た電力を用いて電子回路チップは動作することから、アンテナは、電子回路チップの電力の供給を行っていると言え、また、アンテナは、電子回路1に記憶されている情報をアンテナ1より電波を用いて送信することから、情報の送信を行うものであると言える。
　また、上記（あ）の記載事項において、電子回路チップのアンテナ3は外部から与えられる電波を受けており、上記（い）の記載事項から、電子回路チップは、勝馬投票券100の紙票に鋤き込まれているものであるから、外部から与えられる電波は、勝馬投票券100に与えられる電波であると言える。
　したがって、引用文献１には、電子回路チップ10は、勝馬投票券100に与えられる電波を受け、電子回路チップの電力の供給及び情報の送信を行うアンテナを有することが記載されている。
　
　上記（あ）「【００１８】さて、電子回路1とコンデンサ2とアンテナ3は、図１（ｃ）に示すような回路を形成している。この回路は、外部から与えられた電波により、アンテナ3にて電流を誘起し、電荷をコンデンサ2に蓄積する。そして、コンデンサ2に蓄積した電荷から得た電力を用いて、電子回路1に記憶されている情報をアンテナ1より電波を用いて送信するように動作する。すなわち、この電子回路チップ10に電波を与えることにより、外部より非接触で、電子回路チップ10の電子回路1に記憶された情報を読み出すことができる。」の記載と、
　上記（う）「【００２６】投票券発売設備130では、勝馬投票券100用の用紙に、購入者が投票したレース番や馬番や購入金額などの購入情報を文字によって印刷し、これを勝馬投票券100として販売する。」の記載、及び、
　上記（え）「【００３３】すなわち、投票券発売設備130では、勝馬投票券100を販売する際に、販売する勝馬投票券100の電子回路チップ10から電子回路1の書き換え不可能なメモリ部分に記録されたID番号を読み取り、このID番号と勝馬投票券100の購入情報との組のハッシュ関数によるハッシュ値を、認証システムの秘密鍵で暗号化して、認証番号を作成する。そして、認証番号を購入情報とともに勝馬投票券100に印刷する。」の記載によると、
　上記（え）の記載事項において、投票券発売設備130は、勝馬投票券100の電子回路チップ10から電子回路1の書き換え不可能なメモリ部分に記録されたID番号を読み取っているが、この勝馬投票券100の電子回路チップ10の電子回路1の書き換え不可能なメモリ部分に記録されたID番号は、上記（あ）の記載事項からすると、電子回路チップ10の電子回路1に記憶された情報に対応するものであって、この電子回路チップ10の電子回路1に記憶された情報は、電子回路チップ10のアンテナに電波を与えることによって、このアンテナから送信されて読み出すことができるものであるから、投票券発売設備130は、勝馬投票券100の電子回路チップ10のアンテナに電波を与えることによって、このアンテナから送信される書き換え不可能なメモリ部分に記録されたID番号を読み取っていることは明らかである。そして、この投票券発売設備130は、ID番号を読み取りしていることから、投票券発売設備130が、ＩＤ番号を読み取る読取り手段を有するものであることも明らかである。
　また、上記（え）の記載事項において、投票券発売設備130は、ID番号と勝馬投票券100の購入情報との組のハッシュ関数によるハッシュ値を、認証システムの秘密鍵で暗号化して認証番号を作成していることから、投票券発売設備130が、ID番号と勝馬投票券100の購入情報との組のハッシュ関数によるハッシュ値を秘密鍵で暗号化することにより認証番号を作成する暗号化手段を有するものであることは明らかである。
　また、上記（え）の記載事項において、投票券発売設備130は、認証番号を購入情報とともに勝馬投票券100に印刷しているが、上記（う）の記載事項によれば、投票券発売設備130は、勝馬投票券100用の用紙に購入情報を文字によって印刷するとされていることから、投票券発売設備130は、認証番号を購入情報とともに勝馬投票券100用の用紙に印刷していると言える。そして、この投票券発売設備130は、認証番号を購入情報とともに勝馬投票券100用の用紙に印刷していることから、投票券発売設備130が、認証番号を勝馬投票券100用の用紙に印刷する印刷手段を有するものであることも明らかである。
　したがって、引用文献１には、投票券発売設備130は、勝馬投票券100の電子回路チップ10のアンテナに電波を与えることによって、このアンテナから送信される書き換え不可能なメモリ部分に記録されたID番号を読み取る読取り手段と、ID番号と勝馬投票券100の購入情報との組のハッシュ関数によるハッシュ値を秘密鍵で暗号化することにより認証番号を作成する暗号化手段と、認証番号を勝馬投票券100用の用紙に印刷する印刷手段を有することが記載されている。
　
　
　以上より、上記（あ）から（え）の記載及び図１から図３を参酌すると、引用文献１には、次の発明（以下、「引用発明」という。）が記載されている。
　
　勝馬投票券100用の用紙に購入情報を印刷して勝馬投票券100を販売する投票券発売設備130であって、
　勝馬投票券100は、
　電子回路チップ10と、電子回路チップ10を鋤き込んだ勝馬投票券100用の用紙を有し、
　電子回路チップ10は、電子回路チップ10毎に異なるID番号を記録する書き換え不可能なメモリ部分と、
　勝馬投票券100に与えられる電波を受け、電子回路チップの電力の供給及び情報の送信を行うアンテナとを有し、
　勝馬投票券100用の用紙は、その表面および裏面に任意の情報を印刷することができるように構成され、
　勝馬投票券100の電子回路チップ10のアンテナに電波を与えることによって、このアンテナから送信される書き換え不可能なメモリ部分に記録されたID番号を読み取る読取り手段と、
　購入者が投票したレース番や馬番や購入金額などの購入情報を入力する入力手段と、
　ID番号と勝馬投票券100の購入情報との組のハッシュ関数によるハッシュ値を秘密鍵で暗号化することにより認証番号を作成する暗号化手段と、
　認証番号を勝馬投票券100用の用紙に印刷する印刷手段と、
　を有する事を特徴とする投票券発売設備。
　
　
４．対比・判断
　ここで、本願発明と引用発明とを対比する。
　
　引用発明の「勝馬投票券100」「電子回路チップ10」「電子回路チップ10を鋤き込んだ勝馬投票券100用の用紙」「電子回路チップ10毎に異なるID番号」「書き換え不可能なメモリ部分」「アンテナ」「読取り手段」「入力手段」「暗号化手段」は、それぞれ、
　本願発明の「ICタグ」「非接触ICチップ」「非接触ICチップを保持する保持担体」「非接触ICチップ毎に異なる識別情報である個別情報」「書換え不可能なメモリ部」「アンテナ部分」「第1の読取り部」「入力部」「第1のデータ加工部」に相当する。
　
　引用発明の投票券発売設備130は、勝馬投票券100用の用紙に購入情報を印刷しており、このことは、勝馬投票券100に対して購入情報を追加することに他ならないから、
　引用発明の「勝馬投票券100用の用紙に購入情報を印刷して勝馬投票券100を販売する投票券発売設備130」は、本願発明の「ICタグに対して新たな情報を追加する情報追加装置」に相当する。
　
　引用発明の「アンテナ」が受ける「勝馬投票券100に与えられる電波」は、本願発明の「アンテナ部分」が受ける「ICタグに照射された電波」に対応する。そして、引用発明の「アンテナ」が供給する「電子回路チップの電力」は、本願発明の「アンテナ部分」が供給する「非接触ICチップの電源」に対応する。また、引用発明の「アンテナ」が行う「情報の送信」と、本願発明の「アンテナ部分」が行う「クロック、データの送受信」とは、データの送信をする点で共通している。
　したがって、引用発明の「アンテナ」が行う「勝馬投票券100に与えられる電波を受け、電子回路チップの電力の供給及び情報の送信」と、本願発明の「アンテナ部分」が行う「ICタグに照射された電波を受け、非接触ICチップの電源の供給及びクロック、データの送受信」とは、
　ICタグに照射された電波を受け、非接触ICチップの電源の供給及びデータの送信を行っている点で共通する。
　
　引用発明の勝馬投票券100用の用紙は、その表面および裏面に任意の情報を印刷することができるように構成されており、この任意の情報を印刷することができる表面および裏面は、その表面および裏面に印刷される任意の情報を格納すると言えるものであり、そして、任意の情報を印刷することができる表面および裏面が、書き換え不可能なメモリ部分と異なることは明らかであるから、
　引用発明の「勝馬投票券100用の用紙は、その表面および裏面に任意の情報を印刷することができるように構成され、」は、本願発明の「保持担体は、メモリ部とは別な情報の格納物を有するよう構成され、」に相当するものである。
　
　引用発明の読取り手段が「勝馬投票券100の電子回路チップ10のアンテナに電波を与える」ことは、本願発明の第1の読取り部が「アンテナ部分に向けて電波を照射」することに対応する。そして、引用発明の読取り手段が読み取るID番号はアンテナから送信されており、読取り手段はアンテナから送信されるID番号を読み取っているのであるから、引用発明の読取り手段が「このアンテナから送信される書き換え不可能なメモリ部分に記録されたID番号を読み取る」ことは、本願発明の第1の読取り部が「かつアンテナ部分から得られる信号を検出して個別情報を取り出す」ことに対応する。
　したがって、引用発明の「勝馬投票券100の電子回路チップ10のアンテナに電波を与えることによって、このアンテナから送信される書き換え不可能なメモリ部分に記録されたID番号を読み取る読取り手段」は、本願発明の「アンテナ部分に向けて電波を照射し、かつアンテナ部分から得られる信号を検出して個別情報を取り出す第1の読取り部」に相当するものである。
　
　引用発明の入力手段における「購入者が投票したレース番や馬番や購入金額などの購入情報」は、購入者によって任意に決められて入力される情報であるから、本願発明の入力部における「任意の入力情報」に対応する。
　したがって、引用発明の「購入者が投票したレース番や馬番や購入金額などの購入情報を入力する入力手段」は、本願発明の「任意の入力情報の入力を受け付ける入力部」に相当する。
　
　引用発明の「ID番号と勝馬投票券100の購入情報との組」において、ID番号は個別情報であり、勝馬投票券100の購入情報は入力手段から入力される情報であるから入力情報に対応する。そうすると、ID番号と勝馬投票券100の購入情報の組は、個別情報と入力情報を連接したものと言え、本願発明の第1のデータ加工部における「個別情報と入力情報を接続したデータ」も、個別情報と入力データを連接したものと言えるから、引用発明の「ID番号と勝馬投票券100の購入情報との組」は、本願発明の「個別情報と入力情報を接続したデータ」に対応する。
　また、引用発明の「ID番号と勝馬投票券100の購入情報との組のハッシュ関数によるハッシュ値」は、個別情報と入力情報を接続したデータに基づくデータであると言える。
　そして、引用発明の「ハッシュ値を秘密鍵で暗号化することにより認証番号を作成する」において、「ハッシュ値を秘密鍵で暗号化する」ことは、ハッシュ値を変換処理するものと言えるから、「ハッシュ値を秘密鍵で暗号化することにより認証番号を作成する」ことは、ハッシュ値を変換処理することにより変換済み情報を得ることであると言える。
　してみると、引用発明の「ID番号と勝馬投票券100の購入情報との組のハッシュ関数によるハッシュ値を秘密鍵で暗号化することにより認証番号を作成する」ことは、個別情報と入力情報を接続し、この接続したデータに基づくデータを変換処理することにより変換済み情報を得るものと言えるから、
　引用発明の暗号化手段が「ID番号と勝馬投票券100の購入情報との組のハッシュ関数によるハッシュ値を秘密鍵で暗号化することにより認証番号を作成する」ことと、本願発明の第1のデータ加工部が「個別情報と入力情報を接続し、当該接続したデータのデータ長を規定の長さにし、当該規定の長さにして接続したデータを変換処理することにより変換済み情報を得る」こととは、個別情報と入力情報を接続し、この接続したデータに基づくデータを変換処理することにより変換済み情報を得ている点で共通する。
　
　引用発明の「認証情報」は、変換済み情報と言えるものであって、引用発明の印刷手段が「認証番号を勝馬投票券100用の用紙に印刷する」ことは、認証情報を表面および裏面に任意の情報を印刷することができるように構成されている勝馬投票券100用の用紙に印刷することによって、認証情報を勝馬投票券100用の用紙の表面および裏面に追加すると言えるものであるから、引用発明の「認証番号を勝馬投票券100用の用紙に印刷する印刷手段」は、本願発明の「変換済み情報を前記情報の格納物に追加するデータの追加部」に相当する。
　
　
　よって、本願発明と引用発明とは、以下の点で一致し、また、相違している。
　
（一致点）
　ICタグに対して新たな情報を追加する情報追加装置であって、
　ICタグは、
　非接触ICチップと当該非接触ICチップを保持する保持担体とを有し、
　非接触ICチップは、非接触ICチップ毎に異なる識別情報である個別情報を格納する書換え不可能なメモリ部と、
　当該ICタグに照射された電波を受け、非接触ICチップの電源の供給及びデータの送信を行うアンテナ部分とを有し、
　保持担体は、メモリ部とは別な情報の格納物を有するよう構成され、
　アンテナ部分に向けて電波を照射し、かつアンテナ部分から得られる信号を検出して個別情報を取り出す第1の読取り部と、
　任意の入力情報の入力を受け付ける入力部と、
　個別情報と入力情報を接続し、この接続したデータに基づくデータを変換処理することにより変換済み情報を得る第1のデータ加工部と、
　変換済み情報を情報の格納物に追加するデータの追加部と、
　を有する事を特徴とする情報追加装置。
　
（相違点１）
　非接触ICチップのアンテナ部分が、
　本願発明は「ICタグに照射された電波を受け、非接触ICチップの電源の供給及びクロック、データの送受信を行う」ものであるのに対し、
　引用発明は「勝馬投票券100に与えられる電波を受け、電子回路チップの電力の供給及び情報の送信を行う」ものである点。
　
（相違点２）
　第1のデータ加工部において変換処理される個別情報と入力情報を接続したデータに基づくデータが、
　本願発明は、データ長を規定の長さにした個別情報と入力情報を接続したデータであるのに対し、
　引用発明は、ID番号と勝馬投票券100の購入情報との組のハッシュ関数によるハッシュ値である点。
　
　
　上記相違点１について検討する。
　当審による拒絶理由に引用された刊行物である特開２００１−３５７３７７号公報（以下、「引用文献２」という。）において、
「【００１９】
【発明の実施の形態】以下，図面を参照して本発明の実施の形態を説明する。図１に非接触のＩＣチップの構成例を示す。ＩＣチップ１０２は，アンテナ部１０４と電源部１０６，論理部１０８，メモリ部１１０からなる。非接触ＩＣチップは，接点を持たず，質問機からアンテナ部１０４に電波を送ることにより，電源の供給及びクロック，データの送受信を行う。アンテナ部１０４は，ＩＣチップのチップ内にあるものと，外部にあるものとがある。図１は，チップ内にアンテナ部を持つＩＣチップを想定したものである。チップ外にアンテナ部を持つものは，アンテナ部がチップの外付けになっている。本発明の実施例は，アンテナ部がチップ内にあるかチップ外にあるかに拘わらず，いずれの方式のＩＣチップも利用できる。また，質問機とアンテナ部の間で非接触に情報を送受信する方式として，電磁誘導などいくつかの方式がある。本発明の実施例はいずれの送受信方式のＩＣチップも利用できる。
【００２０】次に，ＩＣチップ１０２の動作について説明する。まず，アンテナ部１０４で電波を受け，電源部１０６でＩＣチップ全体の回路で使用する電源を生成する。アンテナ部１０４で受けた電波から，クロック成分が取り出され，ＩＣチップ全体の回路のクロックとして使用される。論理部１０８は，質問機から送られてきた指令に従い，処理を行う。メモリ部１１０は，ＩＣチップに記憶すべき情報を格納する領域である。ＩＣチップには，さまざまな方式があり，メモリもROMしかもたない書き換え不可能なタイプから，EEPROMのように電気的に書き換え可能なメモリを持ち，書き換え可能なタイプがある。本発明の実施例においては，これらのいずれの方式のＩＣチップも利用可能である。」と開示されているように、
　非接触ＩＣチップのアンテナ部に電波を送ることにより、ＩＣチップ全体の回路で使用する電源の供給及びクロック、データの送受信を行うこと、すなわち、非接触ＩＣチップのアンテナ部が、送られてくる電波を受け、ＩＣチップ全体の回路で使用する電源の供給及びクロック、データの送受信を行うことは周知技術である。
　一方、引用文献１は、他の実施形態において、
「【００４２】また、本実施形態は、次のように修正してもよい。
【００４３】すなわち、投票券発売設備130では、勝馬投票券100を販売する際に、勝馬投票券100用の用紙の電子回路チップ10から電子回路1の書き換え不可能なメモリ部分に記録されたID番号を読み取り、このID番号と勝馬投票券１００の購入情報との組のハッシュ関数によるハッシュ値を、認証システムの秘密鍵で暗号化した認証番号を作成する。そして、認証番号を購入情報とともに電子回路1の書き換え可能なメモリ部分に書き込み、勝馬投票券100を作成する。」と記載しているように、
　投票券発売設備130が勝馬投票券100を作成する際に、認証番号を購入情報とともに電子回路チップ10の書き換え可能なメモリ部分に書き込みをすることは知られていることからすると、
　引用発明において、投票券発売設備130が勝馬投票券100を作成する際に、電子回路チップ10のアンテナで投票券発売設備130から認証番号と購入情報とを受信して、電子回路チップ10の書き換え可能なメモリ部分に認証番号と購入情報とを書き込めるようにするために、電子回路チップ10のアンテナが、勝馬投票券100に与えられる電波を受け、電子回路チップ全体の回路で使用する電源の供給及びクロック、データの送受信を行うようにすることは、当業者が容易になし得たことである。
　よって、相違点１は格別なものではない。
　
　
　上記相違点２について検討する。
　本願の出願日前に頒布された刊行物である特開２００２−９７５６号公報（以下、「引用文献３」という。）に、
「【０００９】次に動作を図２のフローチャートを参照しながら説明する。図２は、実施の形態１におけるデータ暗号化の処理フローを示す図である。まず、ユーザからＲＳＡ暗号の秘密鍵１２８バイト（１０２４ビット）を用いてＰＫＣＳ＃１（Ｐｕｂｌｉｃ−Ｋｅｙ  Ｃｒｙｐｔｏｇｒａｐｈｙ  Ｓｔａｎｄａｒｄ＃１：ＲＳＡ  Ｃｒｙｐｔｏｇｒａｐｈｙ  Ｓｔａｎｄａｒｄ）に規定されている暗号化処理を要求された場合、ＩＣカード５は、データ入力手段１により、ユーザから入力された暗号化対象のデータを受け付ける（ステップ１０１）。次に、パディング手段２は、データの長さが暗号化に用いる秘密鍵の長さよりも短いならば、ＲＳＡ  ＰＫＣＳ  ＃１に規定されているパディング方式を用いて、秘密鍵の長さと等しくなるようにパディングを施す（ステップ１０２）。即ち、データの長さが２０バイトの場合、データの前に１０８バイトのパディングデータを追加する。パディングデータは、先頭から、０ｘ００（１バイト）、０ｘ０１（１バイト）、０ｘＦＦ（１０５バイト）、０ｘ００（１バイト）である。データの長さが秘密鍵の長さと等しいならば、パディングは付加しない。さらに、暗号化手段３により、秘密鍵の長さと等しくなったデータを秘密鍵により暗号化して暗号化データを生成する（ステップ１０３）。最後に、暗号化データ出力手段４により、暗号化データをユーザに出力する（ステップ１０４）。」と開示されているように、
　暗号化対象のデータの長さを暗号化に用いる秘密鍵の長さと等しくなるようにパディングし、この秘密鍵の長さと等しいパディングされたデータを秘密鍵で暗号化すること、すなわち、暗号化対象のデータをパディングして秘密鍵と等しい一定の長さとし、この秘密鍵と等しい一定の長さのパディングされたデータを暗号化することは周知技術である。
　一方、引用発明は「ハッシュ関数」によりハッシュ値を生成しており、この「ハッシュ関数」は、任意の長さのデータMに処理を行って、一定の長さの出力h（データMのハッシュ値）を生成するもの（必要であれば、特開２０００−２１４７７９号公報の段落【０００２】【０００３】、特開２０００−３２４３３４号公報の段落【００５８】【００５９】、特開２００２−２４１７６号公報の段落【０００２】〜【０００４】、特開２００２−８２６１０号公報の段落【００４５】を参照）であるから、引用発明の「ハッシュ関数によるハッシュ値」は、一定の長さのデータであると解される。
　そうすると、引用発明は、「ID番号と勝馬投票券100の購入情報との組」をハッシュ関数によって一定の長さのデータとし、この一定の長さのデータを秘密鍵で暗号化するものであると言える。
　してみると、引用発明は、「ID番号と勝馬投票券100の購入情報との組」をハッシュ関数によって一定の長さのデータとし、この一定の長さのデータを秘密鍵で暗号化するものであるが、暗号化対象のデータを一定の長さとする態様として、引用発明のハッシュ関数による態様と引用文献３に開示されたパディングする態様とはいずれも知られたものであることからすると、
　引用発明において、暗号化対象のデータである「ID番号と勝馬投票券100の購入情報との組」をパディングして秘密鍵と等しい一定の長さとし、このパディングして秘密鍵と等しい一定の長さにした「ID番号と勝馬投票券100の購入情報との組」を秘密鍵で暗号化するようにすることは、当業者が容易になし得たことである。
　よって、相違点２は格別なものではない。
　
　上記で検討したように、相違点１及び２は格別なものではなく、本願発明の構成によってもたらされる効果も、当業者であれば予測可能なものに過ぎず格別なものとは認められない。
　
　
５．むすび
　以上のとおり、本願発明は、引用発明および周知技術に基づいて、当業者が容易に発明をすることができたものであるから、特許法第２９条第２項の規定により特許を受けることができない。
　よって、結論のとおり審決する。